(57)【要約】  室外機の過熱度が目標要件に達しているか否かを検出するステップ（Ｓ１０）と、達している場合、室外機の平均排気温度と室外機システムの平均排気温度との差分値が所定値に達しているか否かを判断するステップ（Ｓ２０）と、達している場合、室外機の平均排気温度と室外機システムの平均排気温度との大きさを比較するステップ（Ｓ３０）と、室外機の平均排気温度が室外機システムの平均排気温度より高い場合、室外機の圧縮機の運転周波数を下げ、室外機の平均排気温度が室外機システムの平均排気温度より低い場合、室外機の圧縮機の運転周波数を上げるステップ（Ｓ４０）と、を含むマルチ式空気調和機の制御方法。当該方法は、マルチ式空気調和機システムにおいて冷媒の分配が均一でないことによって室外機の圧縮機の排気温度が高すぎるまたは低すぎる問題を解決し、マルチ式空気調和機システムの信頼性を向上させることができる。マルチ式空気調和機システム（１００）およびコンピュータ読み取り可能な記憶媒体（１０１）をさらに開示する。
2020506363.tif 000002
【特許請求の範囲】
【請求項１】
少なくとも１つの圧縮機を含む室外機を含むマルチ式空気調和機の制御方法であって、
前記室外機の過熱度が目標要件に達しているか否かを検出するステップと、
前記室外機の過熱度が目標要件に達している場合、前記室外機の平均排気温度と室外機システムの平均排気温度との差分値が所定値に達しているか否かを判断するステップと、
前記室外機の平均排気温度と前記室外機システムの平均排気温度との差分値が所定値に達している場合、前記室外機の平均排気温度と室外機システムの平均排気温度との大きさを比較するステップと、
前記室外機の平均排気温度が前記室外機システムの平均排気温度より高い場合、前記室外機の圧縮機の運転周波数を下げ、前記室外機の平均排気温度が前記室外機システムの平均排気温度より低い場合、前記室外機の圧縮機の運転周波数を上げるステップと、を含む、
ことを特徴とするマルチ式空気調和機の制御方法。
【請求項２】
前記室外機の平均排気温度が前記室外機システムの平均排気温度より高い場合、前記室外機の圧縮機の運転周波数を下げるステップは、
前記室外機の平均排気温度が前記室外機システムの平均排気温度より高い場合、前記室外機の圧縮機の現在の運転周波数がその最小運転周波数より大きいか否かを判断するステップと、
前記室外機の圧縮機の現在の運転周波数がその最小運転周波数より大きい場合、前記室外機の圧縮機の運転周波数を下げるステップと、を含む、
ことを特徴とする請求項１に記載のマルチ式空気調和機の制御方法。
【請求項３】
前記室外機の圧縮機の現在の運転周波数がその最小運転周波数より大きいか否かを判断するステップの後に、
前記室外機の圧縮機の現在の運転周波数が当該圧縮機の最小運転周波数以下である場合、平均排気温度が前記室外機システムの平均排気温度より低い室外機の圧縮機の運転周波数がその最大運転周波数より大きいか否かを判断するステップと、
前記室外機の平均排気温度が前記室外機システムの平均排気温度より低い圧縮機の運転周波数がその最大運転周波数より小さい場合、前記室外機の圧縮機の運転周波数を上げるステップと、をさらに含む、
ことを特徴とする請求項２に記載のマルチ式空気調和機の制御方法。
【請求項４】
前記室外機の平均排気温度が前記室外機システムの平均排気温度より低い場合、前記室外機の圧縮機の運転周波数を上げるステップは、
前記室外機の平均排気温度が前記室外機システムの平均排気温度より低い場合、前記室外機の圧縮機の現在の運転周波数がその最大運転周波数より小さいか否かを判断するステップと、
前記室外機の圧縮機の現在の運転周波数がその最大運転周波数より小さい場合、前記室外機の圧縮機の運転周波数を上げるステップと、を含む、
ことを特徴とする請求項１に記載のマルチ式空気調和機の制御方法。
【請求項５】
前記室外機の圧縮機の現在の運転周波数がその最大運転周波数より小さいか否かを判断するステップの後に、
前記室外機の圧縮機の現在の運転周波数がその最大運転周波数以上である場合、前記室外機の平均排気温度が前記室外機システムの平均排気温度より高い圧縮機の運転周波数がその最小運転周波数より大きいか否かを判断するステップと、
前記室外機の平均排気温度が前記室外機システムの平均排気温度より高い圧縮機の運転周波数がその最小運転周波数より大きい場合、前記室外機の圧縮機の運転周波数を下げるステップと、をさらに含む、
ことを特徴とする請求項４に記載のマルチ式空気調和機の制御方法。
【請求項６】
前記室外機の過熱度が目標要件に達しているか否かを検出するステップは、
前記室外機の排気温度を取得するステップと、
取得された排気温度に基づいて比較して、前記室外機の最低排気温度を取得するステップと、
前記最低排気温度に対応する室外機の過熱度が目標要件に達しているか否かを検出するステップと、を含む、
ことを特徴とする請求項１〜５のいずれかに記載のマルチ式空気調和機の制御方法。
【請求項７】
前記室外機の平均排気温度と前記室外機システムの平均排気温度との差分値が所定値に達しているか否かを判断するステップは、
前記室外機の平均排気温度および前記室外機システムの平均排気温度を取得するステップと、
前記室外機の平均排気温度および前記室外機システムの平均排気温度に基づいて、前記室外機の平均排気温度と前記室外機システムの平均排気温度との差分値の絶対値を取得するステップと、
前記絶対値が所定値に達しているか否かを判断するステップと、を含む、
ことを特徴とする請求項１〜５のいずれかに記載のマルチ式空気調和機の制御方法。
【請求項８】
前記室外機の圧縮機の排気温度を取得するステップと、
前記室外機の圧縮機の排気温度が所定範囲にあるか否かを判断するステップと、
前記室外機の圧縮機の排気温度が所定範囲を超える場合、故障信号を発するステップと、をさらに含む、
ことを特徴とする請求項１〜５のいずれかに記載のマルチ式空気調和機の制御方法。
【請求項９】
少なくとも１つの圧縮機を含む室外機を含むマルチ式空気調和機システムであって、
前記室外機は、室外機の配管に接続された方向制御弁、室外熱交換器、気液分離器、電子膨張弁、高圧遮断弁および低圧遮断弁をさらに含み、
前記マルチ式空気調和機システムは、メモリと、プロセッサと、前記メモリに記憶され、かつ前記プロセッサで実行可能なマルチ式空気調和機の制御プログラムとをさらに含み、
前記マルチ式空気調和機の制御プログラムが前記プロセッサによって実行される場合、請求項１〜８のいずれかに記載のマルチ式空気調和機の制御方法のステップが実現される、
ことを特徴とするマルチ式空気調和機システム。
【請求項１０】
マルチ式空気調和機の制御プログラムが記憶されているコンピュータ読み取り可能な記憶媒体であって、
前記マルチ式空気調和機の制御プログラムがプロセッサによって実行される場合、請求項１〜８のいずれかに記載のマルチ式空気調和機の制御方法のステップが実現される、
ことを特徴とするコンピュータ読み取り可能な記憶媒体。
【発明の詳細な説明】
【技術分野】
【０００１】
本発明は、空気調和機の技術分野に関し、特に、マルチ式空気調和機の制御方法、マルチ式空気調和機システムおよびコンピュータ読み取り可能な記憶媒体に関する。
（関連出願の相互参照）
本願は、出願日が２０１７年９月１８日で、出願番号が第２０１７１０８４６７６８．４号である中国特許出願に基づき、当該中国特許出願の優先権を主張するものであり、当該中国特許出願のすべての内容がここで参照として本願に取り入れる。
【背景技術】
【０００２】
マルチ式空気調和機ユニット、特に並列接続されたマルチ空気調和機ユニットは、実際の使用中に、取付位置、取付配管、室外機間の距離および落差分などの影響を受け、冷媒が室外機内部の圧縮機の間で均一に分配されず、室外機の稼動が異常になりやすく、冷媒の多い圧縮機では、液体が戻る可能性があり、冷媒の少ない圧縮機では、排気温度が高めであるため、オイル不足で摩損する可能性があり、深刻な場合に圧縮機が損壊したり、毀損したりする。
【発明の概要】
【発明が解決しようとする課題】
【０００３】
本発明の主な目的は、マルチ式空気調和機システムにおける室外機内部の圧縮機の排気温度が高すぎるまたは低すぎるという問題を解決するマルチ式空気調和機の制御方法、マルチ式空気調和機システムおよびコンピュータ読み取り可能な記憶媒体を提供することである。
【課題を解決するための手段】
【０００４】
上記の目的を達成するために、本発明は、マルチ式空気調和機の制御方法を提供し、前記マルチ式空気調和機は、少なくとも１つの圧縮機を含む室外機を含み、前記マルチ式空気調和機の制御方法は、前記室外機の過熱度が目標要件に達しているか否かを検出するステップと、前記室外機の過熱度が目標要件に達している場合、前記室外機の平均排気温度と前記室外機システムの平均排気温度との差分値が所定値に達しているか否かを判断するステップと、前記室外機の平均排気温度と前記室外機システムの平均排気温度との差分値が所定値に達している場合、前記室外機の平均排気温度と室外機システムの平均排気温度との大きさを比較するステップと、前記室外機の平均排気温度が前記室外機システムの平均排気温度より高い場合、前記室外機の圧縮機の運転周波数を下げ、前記室外機の平均排気温度が前記室外機システムの平均排気温度より低い場合、前記室外機の圧縮機の運転周波数を上げるステップと、を含む。
【０００５】
前記室外機の平均排気温度が前記室外機システムの平均排気温度より高い場合、前記室外機の圧縮機の運転周波数を下げるステップは、前記室外機の平均排気温度が前記室外機システムの平均排気温度より高い場合、前記室外機の圧縮機の現在の運転周波数がその最小運転周波数より大きいか否かを判断するステップと、前記室外機の圧縮機の現在の運転周波数がその最小運転周波数より大きい場合、前記室外機の圧縮機の運転周波数を下げるステップと、を含むことが好ましい。
【０００６】
前記室外機の圧縮機の現在の運転周波数がその最小運転周波数より大きいか否かを判断するステップの後に、前記室外機の圧縮機の現在の運転周波数が当該圧縮機の最小運転周波数以下である場合、平均排気温度が前記室外機システムの平均排気温度より低い室外機の圧縮機の運転周波数がその最大運転周波数より大きいか否かを判断するステップと、前記室外機の平均排気温度が前記室外機システムの平均排気温度より低い圧縮機の運転周波数がその最大運転周波数より小さい場合、前記室外機の圧縮機の運転周波数を上げるステップと、をさらに含むことが好ましい。
【０００７】
前記室外機の平均排気温度が前記室外機システムの平均排気温度より低い場合、前記室外機の圧縮機の運転周波数を上げるステップは、前記室外機の平均排気温度が前記室外機システムの平均排気温度より低い場合、前記室外機の圧縮機の現在の運転周波数がその最大運転周波数より小さいか否かを判断するステップと、前記室外機の圧縮機の現在の運転周波数がその最大運転周波数より小さい場合、前記室外機の圧縮機の運転周波数を上げるステップと、を含むことが好ましい。
【０００８】
前記室外機の圧縮機の現在の運転周波数がその最大運転周波数より小さいか否かを判断するステップの後に、前記室外機の圧縮機の現在の運転周波数がその最大運転周波数以上である場合、前記室外機の平均排気温度が前記室外機システムの平均排気温度より高い圧縮機の運転周波数がその最小運転周波数より大きいか否かを判断するステップと、前記室外機の平均排気温度が前記室外機システムの平均排気温度より高い圧縮機の運転周波数がその最小運転周波数より大きい場合、前記室外機の圧縮機の運転周波数を下げるステップと、をさらに含むことが好ましい。
【０００９】
前記室外機の過熱度が目標要件に達しているか否かを検出するステップは、前記室外機の排気温度を取得するステップと、取得された排気温度に基づいて比較して、前記室外機の最低排気温度を取得するステップと、前記最低排気温度に対応する室外機の過熱度が目標要件に達しているか否かを検出するステップと、を含むことが好ましい。
【００１０】
前記室外機の平均排気温度と前記室外機システムの平均排気温度との差分値が所定値に達しているか否かを判断するステップは、前記室外機の平均排気温度および前記室外機システムの平均排気温度を取得するステップと、前記室外機の平均排気温度および前記室外機システムの平均排気温度に基づいて、前記室外機の平均排気温度と前記室外機システムの平均排気温度との差分値の絶対値を取得するステップと、前記絶対値が所定値に達しているか否かを判断するステップと、を含むことが好ましい。
【００１１】
前記方法は、前記室外機の圧縮機の排気温度を取得するステップと、前記室外機の圧縮機の排気温度が所定範囲にあるか否かを判断するステップと、前記室外機の圧縮機の排気温度が所定範囲を超える場合、故障信号を発するステップと、をさらに含むことが好ましい。
【００１２】
また、上記の目的を実現するために、本発明は、少なくとも１つの圧縮機を含む室外機を含むマルチ式空気調和機システムをさらに提供し、前記室外機は、室外機の配管に接続された方向制御弁、室外熱交換器、気液分離器、電子膨張弁、高圧遮断弁および低圧遮断弁をさらに含み、前記マルチ式空気調和機システムは、メモリと、プロセッサと、前記メモリに記憶され、かつ前記プロセッサで実行可能なマルチ式空気調和機の制御プログラムとをさらに含み、前記マルチ式空気調和機の制御プログラムが前記プロセッサによって実行される場合、上記の方法のステップが実現される。
【００１３】
また、上記の目的を実現するために、本発明は、マルチ式空気調和機の制御プログラムが記憶されているコンピュータ読み取り可能な記憶媒体をさらに提供し、前記マルチ式空気調和機の制御プログラムがプロセッサによって実行される場合、上記のマルチ式空気調和機の制御方法のステップが実現される。
【発明の効果】
【００１４】
本発明のマルチ式空気調和機の制御方法は、前記室外機の過熱度が目標要件に達しているか否かを検出し、前記室外機の過熱度が目標要件に達している場合、前記室外機の平均排気温度と前記室外機システムの平均排気温度との差分値が所定値に達しているか否かを判断し、前記室外機の平均排気温度と前記室外機システムの平均排気温度との差分値が所定値に達している場合、前記室外機の平均排気温度と室外機システムの平均排気温度との大きさを比較し、前記室外機の平均排気温度が前記室外機システムの平均排気温度より高い場合、前記室外機の圧縮機の運転周波数を下げ、前記室外機の平均排気温度が前記室外機システムの平均排気温度より低い場合、前記室外機の圧縮機の運転周波数を上げる。本実施例の方法によって、マルチ式空気調和機システムにおいて冷媒の分配が均一でないことによって室外機の圧縮機の排気温度が高すぎるまたは低すぎる問題が解決され、マルチ式空気調和機システムの信頼性が向上する。
【図面の簡単な説明】
【００１５】
【図１】本発明のマルチ式空気調和機システムの概略構成図である。
【図２】本発明のマルチ式空気調和機の制御方法の実施例１のフローチャートである。
【図３】本発明のマルチ式空気調和機の制御方法の実施例２のフローチャートである。
【図４】本発明のマルチ式空気調和機の制御方法の実施例３のフローチャートである。
【図５】本発明のマルチ式空気調和機の制御方法の実施例４のフローチャートである。
【図６】本発明のマルチ式空気調和機の制御方法の実施例５のフローチャートである。
【図７】本発明のマルチ式空気調和機の制御方法の実施例５のフローチャートである。
【図８】本発明のマルチ式空気調和機システムのモジュールの図である。
【００１６】
本発明の目的の実現、機能的特徴および利点について、実施例と合わせて、添付図面を参照してさらに説明する。
【発明を実施するための形態】
【００１７】
なお、ここで説明される具体的な実施例は、単に本発明を解釈するためのものであり、本発明を限定するものではないと理解されるべきである。
【００１８】
本発明は、マルチ式空気調和機の制御方法を提供する。上記方法は、上記マルチ式空気調和機システムに適用される。上記マルチ式空気調和機システムは、室外機と、室外機に並列接続された室内機とを含む。上記室内機と上記室外機とは、一対一に直列接続される。上記室外機の配管構造は、気液分離器２０、圧縮機ユニット、室外熱交換器３０、方向制御弁４０、電子膨張弁５０、高圧遮断弁６０および低圧遮断弁７０を含む。上記方向制御弁は、四方弁である。室外機の配管の接続方式は、本分野の通常の接続方式であり、図１を参照されたく、ここでは説明を省略する。
【００１９】
実施例１において、図２に示すように、上記マルチ式空気調和機の制御方法は、下記ステップＳ１０〜Ｓ４０を含む。
【００２０】
ステップＳ１０において、上記室外機の過熱度が目標要件に達しているか否かを検出する。
【００２１】
本実施例において、まず、上記室外機の過熱度が目標要件に達しているか否かを検出することによって、上記室外機の圧縮機が通常稼動状態にあるか否かを判断する。上記室外機の過熱度が目標値より高い場合、冷媒が流れる配管の抵抗力が異なるか、または室内の負荷が異なることによって室外機の過熱度が高すぎになり、室外機の圧縮機が過負荷状態になる可能性がある。この場合、まず冷媒の流れる量を調整して室外機の過熱度が目標値に達するようにする。次に、上記室外機の過熱度が目標値より小さい場合、冷媒が気液２相の状態で圧縮機に流れ込んで圧縮機に損害を与える可能性がある。したがって、冷媒が気液２相の冷媒で圧縮機に流れ込んでシステム全体に損害を与えることを避けるために、まず圧縮機の冷媒の流れる量を減らす必要がある。上記室外機の過熱度が目標要件に達している場合に限って、次の動作に進むが、そうでなければ、まず、目標要件に達するように圧縮機の過熱度を調整する必要がある。
【００２２】
ステップＳ２０において、上記室外機の過熱度が目標要件に達している場合、上記室外機の平均排気温度と上記室外機システムの平均排気温度との差分値が所定値に達しているか否かを判断する。
【００２３】
上記室外機の過熱度が目標要件に達している場合、さらに、上記室外機の平均排気温度と上記室外機システムの平均排気温度との差分値が所定値に達しているか否かを判断する。当該所定値は、必要に応じて設定されてもよい。上記室外機の平均排気温度と上記室外機システムの平均排気温度との差分値が所定値以内にあると、この場合に上記室外機の平均排気温度と上記室外機システムの平均排気温度との差分が大きくなく、許容可能な変動範囲内にあることを示し、この場合に室外機の稼動を調整する必要がない。しかし、室外機の平均排気温度と室外機システムの平均排気温度との差分値が所定値を超えると、この場合に室外機の平均排気温度が室外機システムの平均排気温度から大きく離れ、室外機の通常稼動に影響しうることを示すため、室外機システムの平均排気温度に近づくように室外機の排気温度を調整する措置を取る必要がある。
【００２４】
ステップＳ３０において、上記室外機の平均排気温度と上記室外機システムの平均排気温度との差分値が所定値に達している場合、上記室外機の平均排気温度と室外機システムの平均排気温度との大きさを比較する。
【００２５】
さらに、各上記室外機の平均排気温度が上記室外機システムの平均排気温度より大きいか否かをさらに判断する。なお、各上記室外機の平均排気温度が上記室外機システムの平均排気温度より大きいか否かを判断することは、各室外機の平均排気温度と室外機システムの平均排気温度とを個別に判断することであり、各室外機の判断が独立して行われる。
【００２６】
ここで、各上記室外機の平均排気温度は、各上記室外機内の圧縮機の排気温度の平均値である。３台の室外機がある場合、３台の室外機の平均排気温度をＴＰ１、ＴＰ２およびＴＰ３とし、各室外機はいずれも２台の圧縮機を含み、圧縮機の排気温度を、それぞれＴＰ１Ｃ１、ＴＰ１Ｃ２、ＴＰ２Ｃ１、ＴＰ２Ｃ２、ＴＰ３Ｃ１、ＴＰ３Ｃ２とすると、３台の上記室外機の平均排気温度は、ＴＰ１＝（ＴＰ１Ｃ１＋ＴＰ１Ｃ２）／２、ＴＰ２＝（ＴＰ２Ｃ１＋ＴＰ２Ｃ２）／２、ＴＰ３＝（ＴＰ３Ｃ１＋ＴＰ３Ｃ２）／２である。上記室外機システムの平均排気温度は、３台の室外機の平均排気温度の平均値である。上記室外機システムの平均排気温度をＴＰとすると、ＴＰ＝（ＴＰ１＋ＴＰ２＋ＴＰ３）／３である。
【００２７】
ステップＳ４０において、上記室外機の平均排気温度が上記室外機システムの平均排気温度より高い場合、上記室外機の圧縮機の運転周波数を下げ、上記室外機の平均排気温度が上記室外機システムの平均排気温度より低い場合、上記室外機の圧縮機の運転周波数を上げる。
【００２８】
さらに、室外機の平均排気温度が室外機システム全体の平均排気温度より高い場合、この場合の当該室外機の冷媒が少なめであることを示す。この場合、圧縮機の運転周波数を下げることによって、室外機内の圧縮機の排気温度を下げることができる。
【００２９】
なお、室外機の数が１台である場合と複数台である場合、その具体的な制御方法は、以下の通りである。
【００３０】
上記室外機の数が１台であり、かつ室外機内部の圧縮機が複数台である場合、上記室外機の平均排気温度は、上記室外機システムの平均排気温度に等しい。この場合、直接、室外機の圧縮機の平均排気温度を判断し、各圧縮機の排気温度と圧縮機の平均排気温度との大きさを比較する。当該圧縮機の排気温度が平均排気温度より高い場合、当該圧縮機の運転周波数を下げて当該圧縮機の排気温度を下げる。圧縮機の排気温度が圧縮機の平均排気温度より低い場合、当該圧縮機の運転周波数を上げて当該圧縮機の運転周波数を上げる。
【００３１】
上記室外機の数が複数である場合、複数の室外機によって室外機システムを構成するため、まず、各室外機の平均排気温度と室外機システムの平均排気温度とを比較する。ある室外機の平均排気温度が室外機システム全体の平均排気温度より高い場合、当該室外機のすべての圧縮機の運転周波数を下げるように制御する。ある室外機の平均排気温度が室外機システム全体の平均排気温度より低い場合、当該室外機のすべての圧縮機の運転周波数を上げるように制御する。
【００３２】
室外機の平均排気温度が室外機システム全体の平均排気温度より低い場合、当該室外機の冷媒が多めであることを示す。この場合、圧縮機の運転周波数を大きくすることによって、室外機内部の圧縮機の排気温度を上げる。
【００３３】
本実施例において、上記室外機の過熱度が目標要件に達しているか否かを検出し、上記室外機の過熱度が目標要件に達している場合、上記室外機の平均排気温度と上記室外機システムの平均排気温度との差分値が所定値に達しているか否かを判断し、上記室外機の平均排気温度と上記室外機システムの平均排気温度との差分値が所定値に達している場合、上記室外機の平均排気温度と室外機システムの平均排気温度との大きさを比較し、上記室外機の平均排気温度が上記室外機システムの平均排気温度より高い場合、上記室外機の圧縮機の運転周波数を下げ、上記室外機の平均排気温度が上記室外機システムの平均排気温度より低い場合、上記室外機の圧縮機の運転周波数を上げる。本実施例の方法によって、マルチ式空気調和機システムにおいて冷媒の分配が均一でないことによって室外機の圧縮機の排気温度が高すぎるまたは低すぎる問題が解決され、マルチ式空気調和機システムの信頼性が向上する。
【００３４】
さらに、図３に示すように、本発明のマルチ式空気調和機の制御方法の実施例２において、上記ステップＳ４０は、上記室外機の平均排気温度が上記室外機システムの平均排気温度より高い場合、上記室外機の圧縮機の現在の運転周波数がその最小運転周波数より大きいか否かを判断するステップＳ４１と、上記室外機の圧縮機の現在の運転周波数がその最小運転周波数より大きい場合、上記室外機の圧縮機の運転周波数を下げるステップＳ４２と、を含む。
【００３５】
本実施例において、上記室外機の圧縮機の平均排気温度が室外機システムの平均排気温度より高いことが得られると、室外機の圧縮機の現在の運転周波数がその最小運転周波数より大きいか否かをさらに判断する。上記室外機の圧縮機の現在の運転周波数がその到達可能な最小運転周波数に達している場合、室外機の圧縮機の運転周波数をこれ以上下げることができないことを示す。したがって、室外機の圧縮機の現在の運転周波数が最小運転周波数に達していない場合に限って、引き続き圧縮機の運転周波数を下げるように制御することができる。
【００３６】
したがって、室外機の圧縮機の現在の運転周波数が最小運転周波数に達していないと検出された場合、現在の運転周波数から運転周波数を下げるように室外機の圧縮機を制御して、その排気温度を下げる。
【００３７】
本実施例において、上記室外機の平均排気温度が上記室外機システムの平均排気温度より高い場合、上記室外機の圧縮機の現在の運転周波数がその最小運転周波数より大きいか否かを判断し、上記室外機の圧縮機の現在の運転周波数がその最小運転周波数より大きい場合、上記室外機の圧縮機の運転周波数を下げる。室外機の圧縮機の運転周波数の制御の正確さを向上するとともに、システム全体を保護する作用を奏する。
【００３８】
別の実施例において、上記ステップＳ４１の後に、上記室外機の圧縮機の現在の運転周波数が当該圧縮機の最小運転周波数以下である場合、平均排気温度が上記室外機システムの平均排気温度より低い室外機の圧縮機の運転周波数がその最大運転周波数より大きいか否かを判断するステップＳ４１０と、上記室外機の平均排気温度が上記室外機システムの平均排気温度より低い圧縮機の運転周波数がその最大運転周波数より小さい場合、上記室外機の圧縮機の運転周波数を上げるステップＳ４２０と、をさらに含む。
【００３９】
本実施例において、上記室外機の圧縮機の現在の運転周波数がその到達可能な最小運転周波数に達している場合、その運転周波数は、これ以上下げることができない。この場合、ほかの圧縮機の運転周波数を変更することによってシステム全体の安定性を制御することができる。具体的には、平均排気温度が室外機システムの平均排気温度以下である室外機の圧縮機の運転周波数がその最大運転周波数より大きいか否かを判断することができる。当該圧縮機の運転周波数がその最大運転周波数より小さい場合、当該圧縮機の運転周波数を上げる。
【００４０】
当然ながら、室外機内部に複数の圧縮機を有する場合、室外機の平均排気温度が室外機システムの平均排気温度以下であると判断されると、室外機内部の圧縮機の運転周波数をさらに判断する。この場合、いずれかの圧縮機を選定して判断するか、複数台の圧縮機のうちの一台を指定して優先的に判断してもよい。当該指定された圧縮機の運転周波数がその最大運転周波数より大きい場合、引き続き次の圧縮機の運転周波数を判断し、とこのように同様に判断していく。
【００４１】
本実施例において、上記室外機の圧縮機の現在の運転周波数が当該圧縮機の最小運転周波数以下である場合、直接、現在の圧縮機の運転周波数を制御することができない。したがって、本実施例において、排気温度の低いほかの圧縮機の運転周波数の制御に切り替えることによって、システム全体の安定性を制御して制御の適応性を向上させる。
【００４２】
さらに、図４に示すように、本発明のマルチ式空気調和機の制御方法の実施例３において、上記ステップＳ４０は、上記室外機の平均排気温度が上記室外機システムの平均排気温度より低い場合、上記室外機の圧縮機の現在の運転周波数がその最大運転周波数より小さいか否かを判断するステップＳ４３と、上記室外機の圧縮機の現在の運転周波数がその最大運転周波数より小さい場合、上記室外機の圧縮機の運転周波数を上げるステップＳ４４と、を含む。
【００４３】
本実施例において、上記室外機の圧縮機の平均排気温度が室外機システムの平均排気温度より低いことが得られると、室外機の圧縮機の現在の運転周波数がその最大運転周波数より小さいか否かをさらに判断する。上記室外機の圧縮機の現在の運転周波数がその到達可能な最大運転周波数に達している場合、この場合に室外機の圧縮機の運転周波数をこれ以上上げることができることを示す。したがって、室外機の圧縮機の現在の運転周波数が最大運転周波数に達していない場合に限って、引き続き圧縮機の運転周波数を上げるように制御することができる。
【００４４】
したがって、室外機の圧縮機の現在の運転周波数が最大運転周波数に達していないと検出された場合、現在の運転周波数から運転周波数を上げるように室外機の圧縮機を制御して、その排気温度を上げる。
【００４５】
本実施例において、上記室外機の平均排気温度が上記室外機システムの平均排気温度より低い場合、上記室外機の圧縮機の現在の運転周波数がその最大運転周波数より小さいか否かを判断し、上記室外機の圧縮機の現在の運転周波数がその最大運転周波数より小さい場合、上記室外機の圧縮機の運転周波数を上げる。これにより、室外機の圧縮機の運転周波数の制御の正確さを向上するとともに、システム全体を保護する作用を奏する。
【００４６】
別の実施例において、上記ステップＳ４３の後に、上記室外機の圧縮機の現在の運転周波数がその最大運転周波数以上である場合、上記室外機の平均排気温度が上記室外機システムの平均排気温度より高い圧縮機の運転周波数がその最小運転周波数より大きいか否かを判断するステップＳ４３１と、上記室外機の平均排気温度が上記室外機システムの平均排気温度より高い圧縮機の運転周波数がその最小運転周波数より大きい場合、上記室外機の圧縮機の運転周波数を下げるステップＳ４３２と、をさらに含む。
【００４７】
本実施例において、上記室外機の圧縮機の現在の運転周波数がその到達可能な最大運転周波数に達している場合、その運転周波数は、これ以上上げられない。この場合、ほかの圧縮機の運転周波数を変更することによってシステム全体の安定性を制御することができる。具体的には、平均排気温度が室外機システムの平均排気温度以上の室外機の圧縮機の運転周波数がその最小運転周波数より大きいか否かを判断することができる。当該圧縮機の運転周波数がその最小運転周波数より大きい場合、当該圧縮機の運転周波数を下げる。
【００４８】
さらに、図５に示すように、本発明のマルチ式空気調和機の制御方法の実施例４において、上記のステップＳ１０は、各上記室外機の排気温度を取得するステップＳ１１と、取得された排気温度に基づいて比較して、すべての上記室外機における最低排気温度を取得するステップＳ１２と、上記最小排気温度に対応する室外機の過熱度が目標要件に達しているか否かを検出するステップＳ１３と、を含む。
【００４９】
本実施例において、各上記室外機の排気温度を取得し、さらに、取得された排気温度に基づいて比較して、すべての排気温度における最低排気温度を取得し、当該最低排気温度に対応する室外機の過熱度が目標要件に達しているか否かをさらに判断する。最低排気温度に対応する室外機の過熱度が目標要件に達することができた場合、当該最低排気温度より高い排気温度に対応するほかの室外機の過熱度も目標要件に達することができることを示す。したがって、当該最低排気温度に対応する室外機の過熱度が目標要件に達しているか否かを判断すればよい。
【００５０】
なお、上記の各上記室外機の排気温度とは、各室外機のすべての圧縮の排気温度の平均値を指し、すべての室外機の排気温度を比較して最低排気温度を取得する。
【００５１】
本実施例は、すべての室外機の排気温度おける最低排気温度を取得し、当該最低排気温度に対応する室外機の過熱度が目標要件に達しているか否かを判断し、当該最低排気温度に対応する室外機の過熱度が目標要件に達している場合、ほかの室外機の過熱度も目標要件に達することができると判断できる。すべての室外機の過熱度を判断する必要がないので、動作の効率が向上する。
【００５２】
さらに、図６に示すように、本発明のマルチ式空気調和機の制御方法の実施例５において、上記のステップＳ２０は、各上記室外機の平均排気温度および上記室外機システムの平均排気温度を取得するステップＳ２１と、各上記室外機の平均排気温度および上記室外機システムの平均排気温度に基づいて、各上記室外機の平均排気温度と上記室外機システムの平均排気温度との差分値の絶対値を取得するステップＳ２２と、上記絶対値が所定値に達しているか否かを判断するステップＳ２３と、を含む。
【００５３】
本実施例において、各上記室外機の平均排気温度と上記室外機システムの平均排気温度とを判断するステップの前に、まず上記室外機の平均排気温度と室外機システムの平均排気温度との差分値の絶対値が所定範囲にあるか否かを判断する。所定範囲にない場合、当該室外機の平均排気温度と室外機システムの平均排気温度との差分値が大きいことを示す。この場合、まず故障の検査を行い、当該室外機の圧縮機が故障したか否かを検出する。当該室外機の圧縮機の平均排気温度と室外機システムの平均排気温度との差分値の絶対値が所定範囲にある場合、上記室外機の平均排気温度と室外機システムの平均排気温度との大きさを判断するステップに進む。
【００５４】
ここで、上記所定範囲は、システムの必要に応じて設定されてもよい。当該所定範囲によって、各室外機の平均排気温度が室外機システムの平均排気温度の上下の範囲で変動値を有するようになり、システム制御の信頼性が確保される。
【００５５】
さらに、図７に示すように、本発明のマルチ式空気調和機の制御方法の実施例６において、上記方法は、各上記室外機の圧縮機の排気温度を取得するステップＳ００と、各上記室外機の圧縮機の排気温度が所定範囲にあるか否かを判断するステップＳ０１と、上記室外機の圧縮機の排気温度が所定範囲を超える場合、故障信号を発するステップＳ０２と、をさらに含む。
【００５６】
本実施例において、各上記室外機の圧縮機の排気温度を取得し、各室外機の圧縮機の排気温度が所定範囲にあるか否かを判断し、上記圧縮機の排気温度が所定範囲を超える場合、故障信号を発する。当該所定範囲は、圧縮機の通常稼動状態の排気温度範囲であり、具体的には、システムの実際の状況に応じて設定されてもよい。
【００５７】
各圧縮機の排気温度が正常の所定範囲にあるか否かを検出することによって、圧縮機の故障時に迅速に警報を出し、圧縮機が故障したままで稼動するによって損害がより大きくなることを防止する。
【００５８】
本発明は、マルチ式空気調和機システム１００をさらに提供する。図１および図８に示すように、上記マルチ式空気調和機システムは、室外機を含む。上記室外機は、少なくとも１つの圧縮機１０を含む。上記室外機は、室外機の配管に接続された方向制御弁４０、気液分離器２０、室外熱交換器３０、電子膨張弁、高圧遮断弁６０および低圧遮断弁７０をさらに含む。上記方向制御弁は、四方弁である。室外機の配管の接続方式は、本分野の通常の接続方式であり、図１を参照されたく、ここでは説明を省略する。
【００５９】
上記マルチ式空気調和機システム１００は、メモリ１０１、プロセッサ１０２、および上記メモリ１０１に記憶されて上記プロセッサ１０２で実行可能なマルチ式空気調和機の制御プログラムをさらに含む。上記マルチ式空気調和機の制御プログラムが上記プロセッサ１０２によって実行される場合、下記の方法のステップ、すなわち、上記室外機の過熱度が目標要件に達しているか否かを検出するステップと、上記室外機の過熱度が目標要件に達している場合、上記室外機の平均排気温度と上記室外機システムの平均排気温度との差分値が所定値に達しているか否かを判断するステップと、上記室外機の平均排気温度と上記室外機システムの平均排気温度との差分値が所定値に達している場合、上記室外機の平均排気温度と室外機システムの平均排気温度との大きさを比較するステップと、上記室外機の平均排気温度が上記室外機システムの平均排気温度より高い場合、上記室外機の圧縮機の運転周波数を下げ、上記室外機の平均排気温度が上記室外機システムの平均排気温度より低い場合、上記室外機の圧縮機の運転周波数を上げるステップと、が実現される。
【００６０】
本実施例において、まず、上記室外機の過熱度が目標要件に達しているか否かを検出して、上記室外機の圧縮機が通常稼動状態にあるか否かを判断する。上記室外機の過熱度が目標値より高い場合、冷媒が流れる配管の抵抗力が異なるか、室内の負荷が異なることによって室外機の過熱度が高すぎ、室外機の圧縮機が過負荷状態になる可能性がある。この場合、まず冷媒の流れる量を調整して室外機の過熱度が目標値に達するようにする。次に、上記室外機の過熱度が目標値より小さい場合、冷媒が気液２相の状態で圧縮機に流れ込むことによって圧縮機に損害を与える可能性がある。したがって、冷媒が気液２相の状態で圧縮機に流れ込んでシステム全体に損害を与えることを避けるために、まず圧縮機の冷媒の流れる量を減らす必要がある。上記室外機の過熱度が目標要件に達している場合に限って、次の動作に進むが、そうでなければ、まず、目標要件に達するように圧縮機の過熱度を調整する必要がある。
【００６１】
上記室外機の過熱度が目標要件に達している場合、上記室外機の平均排気温度と上記室外機システムの平均排気温度との差分値が所定値に達しているか否かをさらに判断する。当該所定値は、必要に応じて設定されてもよい。上記室外機の平均排気温度と上記室外機システムの平均排気温度との差分値が所定値以内にあると、この場合に上記室外機の平均排気温度と上記室外機システムの平均排気温度との差分値が大きくなく、許容可能な変動範囲内にあることを示し、この場合に室外機の稼動を調整する必要がない。しかし、室外機の平均排気温度と室外機システムの平均排気温度との差分値が所定値を超えると、この場合に室外機の平均排気温度が室外機システムの平均排気温度から大きく離れ、室外機の通常稼動に影響しうることを示すため、室外機システムの平均排気温度に近づくように室外機の排気温度を調整する措置を取る必要がある。
【００６２】
各上記室外機の平均排気温度が上記室外機システムの平均排気温度より大きいか否かをさらに判断する。なお、各上記室外機の平均排気温度が上記室外機システムの平均排気温度より大きいか否かを判断することは、各室外機の平均排気温度と室外機システムの平均排気温度とを個別に判断することであり、各室外機の判断が独立して行われる。
【００６３】
ここで、各上記室外機の平均排気温度は、各上記室外機内部の圧縮機の排気温度の平均値である。例えば、３台の室外機がある場合、３台の室外機の平均排気温度をＴＰ１、ＴＰ２およびＴＰ３とし、各室外機は、いずれも２台の圧縮機を含み、圧縮機の排気温度を、それぞれＴＰ１Ｃ１、ＴＰ１Ｃ２、ＴＰ２Ｃ１、ＴＰ２Ｃ２、ＴＰ３Ｃ１、ＴＰ３Ｃ２とすると、３台の上記室外機の平均排気温度は、ＴＰ１＝（ＴＰ１Ｃ１＋ＴＰ１Ｃ２）／２、ＴＰ２＝（ＴＰ２Ｃ１＋ＴＰ２Ｃ２）／２、ＴＰ３＝（ＴＰ３Ｃ１＋ＴＰ３Ｃ２）／２である。上記室外機システムの平均排気温度は、３台の室外機の平均排気温度の平均値である。上記室外機システムの平均排気温度をＴＰとすると、ＴＰ＝（ＴＰ１＋ＴＰ２＋ＴＰ３）／３である。
【００６４】
さらに、室外機の平均排気温度が室外機システム全体の平均排気温度より高いと、この場合に当該室外機の冷媒が少なめであることを示す。この場合、圧縮機の運転周波数を下げることによって、室外機の内部の圧縮機の排気温度を下げることができる。
【００６５】
なお、室外機の数が１台である場合と複数台である場合、その具体的な制御方法は、以下の通りである。
【００６６】
上記室外機の数が１台であり、かつ室外機内部の圧縮機が複数台である場合、上記室外機の平均排気温度は、上記室外機システムの平均排気温度に等しい。この場合、直接、室外機の圧縮機の平均排気温度を判断し、各圧縮機の排気温度と圧縮機の平均排気温度との大きさを比較する。当該圧縮機の排気温度が平均排気温度より高い場合、当該圧縮機の運転周波数を下げて当該圧縮機の排気温度を下げる。圧縮機の排気温度が圧縮機の平均排気温度より低い場合、当該圧縮機の運転周波数を上げて当該圧縮機の運転周波数を上げる。
【００６７】
上記室外機の数が複数である場合、複数の室外機によって室外機システムを構成するため、まず、各室外機の平均排気温度と室外機システムの平均排気温度とを比較する。ある室外機の平均排気温度が室外機システム全体の平均排気温度より高い場合、当該室外機のすべての圧縮機の運転周波数を下げるように制御する。ある室外機の平均排気温度が室外機システム全体の平均排気温度より低い場合、当該室外機のすべての圧縮機の運転周波数を上げるように制御する。
【００６８】
室外機の平均排気温度が室外機システム全体の平均排気温度より低い場合、当該室外機の冷媒が多めであることを示す。すると、この場合、圧縮機の運転周波数を大きくすることによって、室外機の内部の圧縮機の排気温度を上げる。
【００６９】
本実施例において、上記室外機の過熱度が目標要件に達しているか否かを検出し、上記室外機の過熱度が目標要件に達している場合、上記室外機の平均排気温度と上記室外機システムの平均排気温度との差分値が所定値に達しているか否かを判断し、上記室外機の平均排気温度と上記室外機システムの平均排気温度との差分値が所定値に達している場合、上記室外機の平均排気温度と室外機システムの平均排気温度との大きさを比較し、上記室外機の平均排気温度が上記室外機システムの平均排気温度より高い場合、上記室外機の圧縮機の運転周波数を下げ、上記室外機の平均排気温度が上記室外機システムの平均排気温度より低い場合、上記室外機の圧縮機の運転周波数を上げる。本実施例の方法によって、マルチ式空気調和機システムにおいて冷媒の分配が均一でないことによって室外機の圧縮機の排気温度が高すぎるまたは低すぎる問題が解決され、マルチ式空気調和機システムの信頼性が向上する。
【００７０】
さらに、一実施例において、上記マルチ式空気調和機の制御プログラムが上記プロセッサ１０２によって実行される場合、下記の方法のステップ、すなわち、上記室外機の平均排気温度が上記室外機システムの平均排気温度より高い場合、上記室外機の圧縮機の現在の運転周波数がその最小運転周波数より大きいか否かを判断するステップと、上記室外機の圧縮機の現在の運転周波数がその最小運転周波数より大きい場合、上記室外機の圧縮機の運転周波数を下げるステップと、が実現される。
【００７１】
本実施例において、上記室外機の圧縮機の平均排気温度が室外機システムの平均排気温度より高いことが得られると、室外機の圧縮機の現在の運転周波数がその最小運転周波数より大きいか否かをさらに判断する。上記室外機の圧縮機の現在の運転周波数がその到達可能な最小運転周波数に達している場合、室外機の圧縮機の運転周波数をこれ以上下げることができないことを示す。したがって、室外機の圧縮機の現在の運転周波数が最小運転周波数に達していない場合に限って、引き続き圧縮機の運転周波数を下げるように制御することができる。
【００７２】
したがって、室外機の圧縮機の現在の運転周波数が最小運転周波数に達していないと検出された場合、現在の運転周波数から運転周波数を下げるように室外機の圧縮機を制御して、その排気温度を下げる。
【００７３】
本実施例において、上記室外機の平均排気温度が上記室外機システムの平均排気温度より高い場合、上記室外機の圧縮機の現在の運転周波数がその最小運転周波数より大きいか否かを判断し、上記室外機の圧縮機の現在の運転周波数がその最小運転周波数より大きい場合、上記室外機の圧縮機の運転周波数を下げる。これにより、室外機の圧縮機の運転周波数の制御の正確さを向上するとともに、システム全体を保護する作用を奏する。
【００７４】
別の実施例において、上記室外機の圧縮機の現在の運転周波数がその最小運転周波数より大きいか否かを判断するステップの後に、上記室外機の圧縮機の現在の運転周波数が当該圧縮機の最小運転周波数以下である場合、平均排気温度が上記室外機システムの平均排気温度より低い室外機の圧縮機の運転周波数がその最大運転周波数より大きいか否かを判断するステップと、上記室外機の平均排気温度が上記室外機システムの平均排気温度より低い圧縮機の運転周波数がその最大運転周波数より小さい場合、上記室外機の圧縮機の運転周波数を上げるステップと、をさらに含む。
【００７５】
本実施例において、上記室外機の圧縮機の現在の運転周波数がその到達可能な最小運転周波数に達している場合、その運転周波数は、これ以上下げることができない。この場合、ほかの圧縮機の運転周波数を変更することによってシステム全体の安定性を制御することができる。具体的には、平均排気温度が室外機システムの平均排気温度以下の室外機の圧縮機の運転周波数がその最大運転周波数より大きいか否かを判断することができる。当該圧縮機の運転周波数がその最大運転周波数より小さい場合、当該圧縮機の運転周波数を上げる。
【００７６】
当然ながら、室外機内部に複数の圧縮機を有する場合、室外機の平均排気温度が室外機システムの平均排気温度以下であると判断されると、室外機内部の圧縮機の運転周波数をさらに判断する。この場合、いずれかの圧縮機を選定して判断するか、複数台の圧縮機のうちの一台を指定して優先的に判断してもよい。当該指定された圧縮機の運転周波数がその最大運転周波数より大きい場合、引き続き次の圧縮機の運転周波数を判断し、…同様に判断していく。
【００７７】
本実施例において、上記室外機の圧縮機の現在の運転周波数が当該圧縮機の最小運転周波数以下である場合、直接、現在の圧縮機の運転周波数を制御することができない。したがって、本実施例において、排気温度の低いほかの圧縮機の運転周波数の制御に切り替えることによって、システム全体の安定性を制御して制御の適応性を向上させる。
【００７８】
さらに、一実施例において、上記マルチ式空気調和機の制御プログラムが上記プロセッサ１０２によって実行される場合、下記方法のステップ、すなわち、上記室外機の平均排気温度が上記室外機システムの平均排気温度より低い場合、上記室外機の圧縮機の現在の運転周波数がその最大運転周波数より小さいか否かを判断するステップと、上記室外機の圧縮機の現在の運転周波数がその最大運転周波数より小さい場合、上記室外機の圧縮機の運転周波数を上げるステップと、が実現される。
【００７９】
本実施例において、上記室外機の圧縮機の平均排気温度が室外機システムの平均排気温度より低いことが得られると、室外機の圧縮機の現在の運転周波数がその最大運転周波数より小さいか否かをさらに判断する。上記室外機の圧縮機の現在の運転周波数がその到達可能な最大運転周波数に達している場合、室外機の圧縮機の運転周波数をこれ以上上げることができないことを示す。したがって、室外機の圧縮機の現在の運転周波数が最大運転周波数に達していない場合に限って、引き続き圧縮機の運転周波数を上げるように制御することができる。
【００８０】
したがって、室外機の圧縮機の現在の運転周波数が最大運転周波数に達していないと検出された場合、現在の運転周波数から運転周波数を上げるように室外機の圧縮機を制御して、その排気温度を上げる。
【００８１】
本実施例において、上記室外機の平均排気温度が上記室外機システムの平均排気温度より低い場合、上記室外機の圧縮機の現在の運転周波数がその最大運転周波数より小さいか否かを判断し、上記室外機の圧縮機の現在の運転周波数がその最大運転周波数より小さい場合、上記室外機の圧縮機の運転周波数を上げる。これにより、室外機の圧縮機の運転周波数の制御の正確さを向上するとともに、システム全体を保護する作用を奏する。
【００８２】
別の実施例において、上記室外機の圧縮機の現在の運転周波数がその最大運転周波数より小さいか否かを判断するステップの後に、上記室外機の圧縮機の現在の運転周波数がその最大運転周波数以上である場合、上記室外機の平均排気温度が上記室外機システムの平均排気温度より高い圧縮機の運転周波数がその最小運転周波数より大きいか否かを判断するステップと、上記室外機の平均排気温度が上記室外機システムの平均排気温度より高い圧縮機の運転周波数がその最小運転周波数より大きい場合、上記室外機の圧縮機の運転周波数を下げるステップと、をさらに含む。
【００８３】
本実施例において、上記室外機の圧縮機の現在の運転周波数がその到達可能な最大運転周波数に達している場合、その運転周波数は、これ以上上げられない。この場合、ほかの圧縮機の運転周波数を変更することによってシステム全体の安定性を制御することができる。具体的に、平均排気温度が室外機システムの平均排気温度以上である室外機の圧縮機の運転周波数がその最小運転周波数より大きいか否かを判断することができる。当該圧縮機の運転周波数がその最小運転周波数より大きい場合、当該圧縮機の運転周波数を下げる。
【００８４】
さらに、一実施例において、上記マルチ式空気調和機の制御プログラムが上記プロセッサ１０２によって実行される場合、下記方法のステップ、すなわち、各上記室外機の排気温度を取得するステップと、取得された排気温度に基づいて比較して、すべての上記室外機における最低排気温度を取得するステップと、上記最低排気温度に対応する室外機の過熱度が目標要件に達しているか否かを検出するステップと、が実現される。
【００８５】
本実施例において、各上記室外機の排気温度を取得し、取得された排気温度に基づいて比較して、すべての排気温度における最低排気温度を取得し、当該最低排気温度に対応する室外機の過熱度が目標要件に達しているか否かをさらに判断する。最低排気温度に対応する室外機の過熱度が目標要件に達することができた場合、当該最低排気温度より高い排気温度に対応するほかの室外機の過熱度も目標要件に達することができることを示す。したがって、当該最低排気温度に対応する室外機の過熱度が目標要件に達しているか否かを判断すればよい。
【００８６】
なお、上記の各上記室外機の排気温度とは、各室外機のすべての圧縮機の排気温度の平均値を指し、すべての室外機の排気温度を比較して最低排気温度を取得する。
【００８７】
本実施例において、すべての室外機の排気温度における最低排気温度を取得し、当該最低排気温度に対応する室外機の過熱度が目標要件に達しているか否かを判断し、当該最低排気温度に対応する室外機の過熱度が目標要件に達している場合、ほかの室外機の過熱度も目標要件に達することができると判断できる。すべての室外機の過熱度を判断する必要がないため、操作の効率が向上する。
【００８８】
さらに、一実施例において、上記マルチ式空気調和機の制御プログラムが上記プロセッサ１０２によって実行される場合、下記方法のステップ、すなわち、各上記室外機の平均排気温度および上記室外機システムの平均排気温度を取得するステップと、各上記室外機の平均排気温度および上記室外機システムの平均排気温度に基づいて、各上記室外機の平均排気温度と上記室外機システムの平均排気温度との差分値の絶対値を取得するステップと、上記絶対値が所定値に達しているか否かを判断するステップと、が実現される。
【００８９】
本実施例において、各上記室外機の平均排気温度と上記室外機システムの平均排気温度とを判断するステップの前に、まず上記室外機の平均排気温度と室外機システムの平均排気温度との差分値の絶対値が所定範囲にあるか否かを判断する。所定範囲にない場合、当該室外機の平均排気温度が室外機システムの平均排気温度から大きく離れていることを示す。この場合、まず故障の検査を行い、当該室外機の圧縮機が故障したか否かを検出する。当該室外機の圧縮機の平均排気温度と室外機システムの平均排気温度との差分値の絶対値が所定範囲にある場合、上記室外機の平均排気温度と室外機システムの平均排気温度との大きさを判断するステップに進む。
【００９０】
ここで、上記所定範囲は、システムの必要に応じて設定されてもよい。当該所定範囲によって、室外機の平均排気温度が室外機システムの平均排気温度の上下の範囲で変動値を有するようになり、システム制御の信頼性が確保される。
【００９１】
さらに、別の実施例において、上記マルチ式空気調和機の制御プログラムが上記プロセッサ１０２によって実行される場合、下記の方法のステップ、すなわち、各上記室外機の圧縮機の排気温度を取得するステップと、各上記室外機の圧縮機の排気温度が所定範囲にあるか否かを判断するステップと、上記室外機の圧縮機の排気温度が所定範囲を超える場合、故障信号を発するステップと、が実現される。
【００９２】
本実施例において、各上記室外機の圧縮機の排気温度を取得する。さらに各室外機の圧縮機の排気温度が所定範囲にあるか否かを判断し、上記圧縮機の排気温度が所定範囲を超えると、故障信号を発する。当該所定範囲は、圧縮機が正常に稼動する状態での排気温度範囲であり、具体的にシステムの実際の状況に応じて設定される。
【００９３】
各圧縮機の排気温度が通常の所定範囲にあるか否かを検出することによって、圧縮機の故障時に迅速に警報を出し、圧縮機が故障したままで稼動するによって損害がより大きくなることを防止する。
【００９４】
また、本発明の実施例は、マルチ式空気調和機の制御プログラムが記憶されているコンピュータ読み取り可能な記憶媒体をさらに提供する。上記マルチ式空気調和機の制御プログラムがプロセッサ１０２によって実行される場合、上記の実施例に記載の方法のステップが実現される
【００９５】
以上は、本発明の好ましい実施例に過ぎず、それによって本発明の特許範囲を限定しているのではない。本発明の明細書および添付図面の内容を利用してなされた均等の構成または均等のステップへの置換え、または直接または間接的にほかの関連する技術分野への適用は、同じく本発明の特許請求の範囲内に含まれる。
【符号の説明】
【００９６】
１０  圧縮機
２０  気液分離器
３０  室外熱交換器
４０  方向制御弁
５０  電子膨張弁
６０  高圧遮断弁
７０  低圧遮断弁
１００  マルチ式空気調和機システム
１０１  記憶媒体
１０１  メモリ
１０２  プロセッサ
【図１】
2020506363.tif 000003
【図２】
2020506363.tif 000004
【図３】
2020506363.tif 000005
【図４】
2020506363.tif 000006
【図５】
2020506363.tif 000007
【図６】
2020506363.tif 000008
【図７】
2020506363.tif 000009
【図８】
2020506363.tif 000010
【国際調査報告】
2020506363.tif 000011
2020506363.tif 000012
2020506363.tif 000013
2020506363.tif 000014